(57)【要約】【課題】  配線を配線コネクタに接続した後に、それらの接続部分にカバーを容易に着脱することができ、しかも装着後にはカバーが妄りに外れることがなく、さらに構造が簡単で、安価に製造できるようにした配線コネクタを備える遊技機を提供する。【解決手段】  カバー２８を、互いに向き合わせて結合することにより、配線コネクタ２１の配線接続部２１ｂが嵌合しうる嵌合部２９と、配線２４を配線接続部２１ｂからわずかに離れた部分で束ねて挿通させる結束挿通部３０と、嵌合部２９と結束挿通部３０との間の外周部を覆う覆い部３１とが形成されるようにした２個の分割カバー３２、３２により構成する。【選択図】        図５
2005342406.tif 000002
【特許請求の範囲】
【請求項１】
前面が開口する筐体の前面開口部に遊技盤を開閉可能として装着し、前記筐体内に配設した電気機器に設けた受け口に、他の電機機器に接続した複数の配線の端部に基端側の配線接続部が接続された配線コネクタにおける遊端側の差し込み部を嵌合し、かつ前記配線コネクタにおける基端側の配線接続部と、そこから延出する配線の端末近傍部とを、配線コネクタ用カバーにより覆った遊技機において、
前記配線コネクタ用カバーを、互いに向き合わせて結合することにより、前記配線接続部が嵌合しうる嵌合部と、前記配線を前記配線接続部からわずかに離れた部分で束ねて挿通させる結束挿通部と、前記嵌合部と結束挿通部との間の外周部を覆う覆い部とが形成されるようにした２個の分割カバーにより形成したことを特徴とする遊技機。
【請求項２】
両分割カバーに、互いに向き合わせて結合したとき、互いに係合するようにした弾性係合爪と係合孔とをそれぞれ設けた請求項１記載の遊技機。
【請求項３】
配線コネクタを縦長とするとともに、その差し込み部を後方に向け、かつ配線接続部より延出する配線を前方に向けたとき、両分割カバーが上下方向に分離しうるものとし、かつ両分割カバーを互いに上下に向き合わせたときに対向する各分割カバーの対向縁部における左右の縁片の互いに対応する部分のいずれか一方に弾性係合爪を、また他方に係合孔をそれぞれ設けることにより、両分割カバーを互いに同一形状とした請求項２記載の遊技機。
【請求項４】
各分割カバーの対向縁部に、縁から係合孔までに亘って上下方向を向き、かつ対向する分割カバーの弾性係合爪を係合孔に誘導する誘導溝を設けた請求項３記載の遊技機。
【請求項５】
両分割カバーにおける互いに向き合わせて結合したときに互いに当接する対向端面に、互いに嵌合しうる位置決め用の突起と凹部とをそれぞれ設けた請求項１〜４のいずれかに記載の遊技機。
【請求項６】
各分割カバーの内面に、配線コネクタの基端面に摺接することにより、配線コネクタへの各分割カバーの装着を案内するようにした、弾性係合爪の延出方向と同一方向を向くガイド面を設けた請求項２〜５のいずれかに記載の遊技機。
【請求項７】
嵌合部に、嵌合された配線コネクタの配線接続部に係合して、配線接続部を嵌合部から抜け止めする抜け止め手段を設けた請求項１〜６のいずれかに記載の遊技機。
【請求項８】
抜け止め手段を、各分割カバーの内面に設けられ、かつ配線コネクタの側端部に外向き突設した突起と係合して、配線接続部が嵌合部から離脱するのを阻止する係合爪とした請求項７記載の遊技機。
【請求項９】
係合爪を、各分割カバーの内面よりガイド面と平行に内方に向かって延出させ、かつ前記係合爪の先端部に、配線コネクタの側端部の突起が前記ガイド面と前記係合爪との間に進入するのを案内する案内傾斜面を設けた、請求項６に従属する請求項７にさらに従属する請求項８記載の遊技機。
【請求項１０】
係合爪が係合する突起を、配線コネクタの両側端面の両側部に設け、それらの間に、差し込み部側から配線接続部側に向かって延出し、かつ被接続装置または他のコネクタの受け口の内面に設けた係止孔に係止することにより、配線コネクタを前記受け口から抜け止めする弾性係止爪が位置するようにし、さらに、前記両突起に係合する係合爪が設けられた各分割カバーの外側部により、前記弾性係止爪の遊端部外側面に設けられた解除操作用突部の両側面がほぼ覆われるようにした請求項８または９記載の遊技機。
【請求項１１】
配線コネクタを、筐体内に設けた電源装置と主制御基板とを接続する配線の電源装置側と主制御基板側との少なくともいずれか一方の端末に設けた請求項１〜９のいずれかに記載の遊技機。
【発明の詳細な説明】
【技術分野】
【０００１】
本発明は、複数の電気機器同士を電気的に接続する配線コネクタに不正行為防止手段を設けた遊技機に関する。
【背景技術】
【０００２】
前面が開口する筐体の前面一側部に、遊技盤の一側部を枢着し、筐体に対して遊技盤を開閉可能としたスロットマシンやパチンコ機等の遊技機においては、遊技盤の裏面に装着した複数の電気機器同士、筐体内に設けた複数の電気機器同士、遊技盤の裏面に装着した電気機器と筐体内に設けた電気機器、またはそれらの電気機器と遊技機外の電気機器を接続するのに、両端末にコネクタを設けた複数の可撓性の配線を束ねるか、またはそれをフレキシブルチューブ内に挿入したハーネスが用いられている（例えば特許文献１、２参照）。
【０００３】
このような遊技機においては、筐体と遊技盤との隙間から挿入した違法操作体を、コネクタと各配線との接続部分に接触させるといった不正行為を防止するため、図８に示すように、コネクタ(60)における配線接続部(61)と、そこから延出している配線(62)の端末近傍部とを、可撓性のカバー(63)により覆っている。
このカバー(63)は、透明または不透明の軟質合成樹脂材料により形成され、複数の配線(62)を束ねて挿通させる円筒状の結束挿通部(64)と、その一端から拡開して、コネクタ(60)の配線接続部(61)が嵌合するようにした嵌合部(65)とからなっている。
【特許文献１】特開２００３−２５０９５９号公報
【特許文献２】特開２００４−３３５１９号公報
【発明の開示】
【発明が解決しようとする課題】
【０００４】
しかし、上述のような従来のカバー(63)は、配線(62)の端末をコネクタ(60)の配線接続部(61)に接続する以前に、図８に想像線で示すように、束ねた複数の配線(62)に予め外装しておき、配線(62)の端末をコネクタ(60)に接続した後、カバー(63)を配線(62)に沿ってずらして、その嵌合部(65)をコネクタ(60)の配線接続部(61)に嵌合しなければならず、その作業が繁雑であるだけでなく、配線(62)をコネクタ(60)に接続した後に、カバー(63)を着脱や交換することができないという問題がある。
【０００５】
本発明は、従来の技術が有する上記のような問題点に鑑み、配線を配線コネクタに接続した後に、それらの接続部分にカバーを容易に着脱することができ、しかも装着後にはカバーが妄りに外れることがなく、さらに構造が簡単で、安価に製造できるようにした配線コネクタを備える遊技機を提供することを目的としている。
【課題を解決するための手段】
【０００６】
本発明によると、上記課題は次のようにして解決される。
(１)  前面が開口する筐体の前面開口部に遊技盤を開閉可能として装着し、前記筐体内に配設した電気機器に設けた受け口に、他の電機機器に接続した複数の配線の端部に基端側の配線接続部が接続された配線コネクタにおける遊端側の差し込み部を嵌合し、かつ前記配線コネクタにおける基端側の配線接続部と、そこから延出する配線の端末近傍部とを、配線コネクタ用カバーにより覆った遊技機において、前記配線コネクタ用カバーを、互いに向き合わせて結合することにより、前記配線接続部が嵌合しうる嵌合部と、前記配線を前記配線接続部からわずかに離れた部分で束ねて挿通させる結束挿通部と、前記嵌合部と結束挿通部との間の外周部を覆う覆い部とが形成されるようにした２個の分割カバーにより形成する。
【０００７】
(２)  上記(１)項において、両分割カバーに、互いに向き合わせて結合したとき、互いに係合するようにした弾性係合爪と係合孔とをそれぞれ設ける。
【０００８】
(３)  上記(２)項において、配線コネクタを縦長とするとともに、その差し込み部を後方に向け、かつ配線接続部より延出する配線を前方に向けたとき、両分割カバーが上下方向に分離しうるものとし、かつ両分割カバーを互いに上下に向き合わせたときに対向する各分割カバーの対向縁部における左右の縁片の互いに対応する部分のいずれか一方に弾性係合爪を、また他方に係合孔をそれぞれ設けることにより、両分割カバーを互いに同一形状とする。
【０００９】
(４)  上記(３)項において、各分割カバーの対向縁部に、縁から係合孔までに亘って上下方向を向き、かつ対向する分割カバーの弾性係合爪を係合孔に誘導する誘導溝を設ける。
【００１０】
(５)  上記(１)〜(４)項のいずれかにおいて、両分割カバーにおける互いに向き合わせて結合したときに互いに当接する対向端面に、互いに嵌合しうる位置決め用の突起と凹部とをそれぞれ設ける。
【００１１】
(６)  上記(２)〜(５)項のいずれかにおいて、各分割カバーの内面に、配線コネクタの基端面に摺接することにより、配線コネクタへの各分割カバーの装着を案内するようにした、弾性係合爪の延出方向と同一方向を向くガイド面を設ける。
【００１２】
(７)  上記(１)〜(６)項のいずれかにおいて、嵌合部に、嵌合された配線コネクタの配線接続部に係合して、配線接続部を嵌合部から抜け止めする抜け止め手段を設ける。
【００１３】
(８)  上記(７)項において、抜け止め手段を、各分割カバーの内面に設けられ、かつ配線コネクタの側端部に外向き突設した突起と係合して、配線接続部が嵌合部から離脱するのを阻止する係合爪とする。
【００１４】
(９)  上記(６)項に従属する(７)項にさらに従属する上記(８)項において、係合爪を、各分割カバーの内面よりガイド面と平行に内方に向かって延出させ、かつ前記係合爪の先端部に、配線コネクタの側端部の突起が前記ガイド面と前記係合爪との間に進入するのを案内する案内傾斜面を設ける。
【００１５】
(１０)  上記(８)または(９)項において、係合爪が係合する突起を、配線コネクタの両側端面の両側部に設け、それらの間に、差し込み部側から配線接続部側に向かって延出し、かつ被接続装置または他のコネクタの受け口の内面に設けた係止孔に係止することにより、配線コネクタを前記受け口から抜け止めする弾性係止爪が位置するようにし、さらに、前記両突起に係合する係合爪が設けられた各分割カバーの外側部により、前記弾性係止爪の遊端部外側面に設けられた解除操作用突部の両側面がほぼ覆われるようにする。
【００１６】
(１１)  上記(１)〜(９)項のいずれかにおいて、配線コネクタを、筐体内に設けた電源装置と主制御基板とを接続する配線の電源装置側と主制御基板側との少なくともいずれか一方の端末に設ける。
【発明の効果】
【００１７】
本発明によると、次のような効果を奏することができる。
(１)  請求項１記載の発明によると、２個の分割カバーを互いに向き合わせて結合することにより、配線コネクタの配線接続部と、そこから延出する配線の端末近傍部とを覆うことができるので、配線を配線コネクタに接続した後、それらの接続部分をカバーで簡単におおうことができ、従来のように、配線を配線コネクタに接続する前に、カバーを配線に予め装着しておく必要がなく、作業性がよい。
またこのようにして、配線コネクタに２個の分割カバーを互いに結合して装着することにより、遊技機における不正行為、すなわち、配線コネクタの配線接続部と各配線との間に違法操作体を挿入して不正行為が行われるのを未然に防止することができる。
【００１８】
(２)  請求項２記載の発明によると、弾性係合爪を係合孔に係合させることにより、２個の分割カバーを、互いに向き合わせて、かつ配線コネクタと配線とをその間に挟むようにして、簡単に結合し、配線コネクタに簡単に装着することができる。
また、弾性係合爪を係合孔から離脱させることにより、２個の分割カバーを簡単に分離して、配線コネクタから外すことができる。
【００１９】
(３)  請求項３記載の発明によると、２個の分割カバーを互いに同一形状とすることができるので、それぞれの成形型を用意する必要がなく、１個分の成形型のみで足り、製造コストを低減させることができる。
【００２０】
(４)  請求項４記載の発明によると、２個の分割カバーを互いに向き合わせて結合する際に、弾性係合爪は、誘導溝により案内されて、係合孔に容易に係合することができ、組み付け作業性が向上する。
【００２１】
(５)  請求項５記載の発明によると、２個の分割カバーの対向端面に設けた突起と凹部とを互いに嵌合させることにより、両分割カバーが容易に位置決めされ、かつがたつきや外れを防止することができる。
【００２２】
(６)  請求項６記載の発明によると、２個の分割カバーを、それらのガイド面を配線コネクタの基端面に摺接させつつ、配線コネクタの両側方から互いに近づけて結合することにより、両分割カバーの配線コネクタへの装着、および互いの結合が円滑に行われ、組み付け作業性が向上する。
【００２３】
(７)  請求項７記載の発明によると、抜け止め手段によって、互いに結合された２個の分割カバーが、配線コネクタから離脱するのが確実に防止される。
【００２４】
(８)  請求項８記載の発明によると、抜け止め手段を、各分割カバーと配線コネクタの側端部とに、目立つことなく体裁よく形成することができる。
【００２５】
(９)  請求項９記載の発明によると、２個の分割カバーを、それらのガイド面を配線コネクタの基端面に摺接させつつ、配線コネクタの両側方から互いに近づけて結合する際に、配線コネクタの側端部の突起が、係合爪の先端部に設けられた案内傾斜面に沿って案内されて、各分割カバーのガイド面と係合爪との間に円滑に進入することができ、組み付け作業性が向上する。
【００２６】
(１０)  請求項１０記載の発明によると、配線コネクタを被接続装置等の受け口から抜け止めする弾性係止爪を解除操作するための突部の両側面が、各分割カバーの一部によりほぼ覆われるので、不正に弾性係止爪を解除操作しようとする行為や、他物が上記突起に当たって不本意に配線コネクタが被接続装置等の受け口から外れるといった誤作動や誤操作等を防止することができる。
【００２７】
(１１)  請求項１１記載の発明によると、遊技機において、不正行為が行われる可能性の高い電源装置と主制御基板とを接続する配線の配線コネクタを、不正行為から効果的に防御することができる。
【発明を実施するための最良の形態】
【００２８】
以下、本発明の実施形態を、添付図面を参照して説明する。
図１は、本発明の一実施形態である遊技機の正面図、図２は、同じく、遊技盤を開いた状態の遊技機の斜視図、図３は、同じく、遊技盤を外したときの筐体内の正面図である。
なお、図１における紙面手前側を前方、同じく紙面裏側を後方とする。
【００２９】
図１〜図３に示すように、この遊技機(１)は、例示的に、メダルを遊技媒体とするスロットマシンとしてあり、前面が開放する直方体状の筐体(２)と、この筐体(２)の前面左側部に上下方向を向く上下１対の軸(2a)(2a)(図３参照)をもって枢着され、かつ筐体(２)の前面開口部を開閉する遊技盤(３)とを備えている。
なお、遊技機(１)を、パチンコ玉を遊技媒体とするパチンコ機とすることもできる。
【００３０】
遊技盤(３)には、筐体(２)の前面開口部を完全に閉塞する閉止位置に位置している状態で、上下１対の係止爪(4a)(4a)が筐体(２)に係合して、遊技盤(３)を閉止位置にロックしうるようにしたロック機構(４)が設けられている。
【００３１】
筐体(２)内には、外周面に複数種類の図柄、数字等で構成される識別情報が付記された横並びの３個の回胴体(5a)よりなる表示装置(５)と、遊技媒体であるメダルを貯留したり放出したりしうるホッパーユニット(６)と、遊技進行を制御するための主制御基板(７)および副制御基板(８)と、主制御基板(７)の制御信号に基づいて表示装置(５)の回胴体(5a)の回転を制御する回胴体制御基板(９)と、表示装置(５)、ホッパーユニット(６)、および主制御基板(７)等に電力を供給する電源装置(10)とが設けられている。
【００３２】
主制御基板(７)の左側部前面には、図４および図５に示すハーネス(20)の一端に設けられた配線コネクタ(21)における差し込み部(21a)を嵌合するための受け口(7a)が設けられている。
また、電源装置(10)の上面には、上記ハーネス(20)の他端に設けられた、図６および図７に示すような配線コネクタ(22)における差し込み部(22a)を嵌合するための受け口(10a)が設けられている。
主制御基板(７)と電源装置(10)とは、それらの受け口(7a)(10a)に各配線コネクタ(21)(22)における差し込み部(21a)(22a)を嵌合することにより、ハーネス(20)をもって互いに接続されている。
なお、主制御基板(７)と電源装置(10)以外の電気機器同士も、同様のハーネスにより互いに接続されているが、ここでは、上記ハーネス(20)のみを例示的に示してある。
【００３３】
遊技盤(３)の前面には、３個の回胴体(5a)の中央部分を前方より視認しうるようにした識別情報表示窓(11)と、識別情報表示窓(11)の上方において、遊技盤(３)の後面側に取り付けられた液晶表示器(12)に映し出される各種遊技情報を視認しうるようにした液晶表示窓(13)と、各種遊技情報を表示しうる遊技情報表示領域部(14)と、遊技媒体であるメダルを投入可能なメダル投入部(15)と、メダルの賭数を選定するためのベットスイッチボタン(16)と、表示装置(５)の回胴体(5a)を回転させるときに操作するためのスタートスイッチレバー(17)と、回胴体(5a)の回転を停止させるときに操作するためのストップスイッチボタン(18)等が設けられ、また、同じく後面側には、各種遊技情報を表示する複数の発光素子および電気素子等を実装した実装基板(19)が取り付けられている。
【００３４】
遊技情報表示領域部(14)は、識別情報表示窓(11)の下方近傍に設けられ、その領域には、左側から、上、中、下の３個のベット数表示窓(14a)、メダル払出枚数表示窓(14b)、ボーナスゲーム残数表示窓(14c)、クレジット数表示窓(14d)、上、中、下３個の遊技進行表示窓(14e)が設けられている。
【００３５】
遊技機(１)の遊技は、遊技者がメダルをメダル投入部(15)に所定枚数投入して、ベットスイッチボタン(16)およびスタートスイッチレバー(17)を順次操作することにより、表示装置(５)の各回胴体(5a)を一斉に回転させ、所定時間経過後、各回胴体(5a)に対応するストップスイッチボタン(18)を順次操作して、各回胴体(5a)を停止させることにより行われる。なお、メダル投入部(15)にメダルを投入することにより、所定数（例えば、５０枚）を上限として、後のゲームまでクレジット数として記憶されるようになっている。
【００３６】
そして、各回胴体(5a)が停止したときの、識別情報表示窓(11)に表示される左、中、右の識別情報の組み合わせにより、入賞の有無、および賞の大小に応じたメダルの配当枚数が決定され、入賞した場合には、大当りとなって、予め定めた入賞枚数分だけ、ホッパーユニット(６)からメダルが払い出される。大当りとなった場合には、予め定めたボーナスゲームに移行して、遊技者は短時間に大量のメダルを得ることができる。
【００３７】
図４および図５に示すように、主制御基板(７)の受け口(7a)に差し込み部(21a)を嵌合する方の配線コネクタ(21)は、上下方向に長い直方体状をなし、その前部の基端側の配線接続部(21b)から後部の遊端側の差し込み部(21a)にかけて、前後方向を向く上下１０個ずつの収容孔(23)が、左右２列として升目状に穿設されている。各収容孔(23)には、金属製の接触端子(図示略)が端末に接続された被覆導線よりなる配線(24)が、それぞれ配線接続部(21b)側から嵌合され、抜け止めされている。すべての配線(24)の中間部は、必要に応じて可撓性の透明のチューブ(20a)内に挿通させることにより、束ねられている。
【００３８】
配線コネクタ(21)の上下の端部には、差し込み部(21a)側から配線接続部(21b)側に向かって延出し、かつ主制御基板(７)の受け口(7a)の内面に設けた係止孔(図示略)に係止することにより、配線コネクタ(21)を受け口(7a)から抜け止めする弾性係止爪(25)が設けられている。
弾性係止爪(25)は、差し込み部(21a)側から配線接続部(21b)側に向かって延出する弾性舌片(25a)の中間部外側面に爪片(25b)を突設し、かつ弾性舌片(25a)の後端である遊端部外側面に、解除操作用突部(25c)を設けたものであり、解除操作用突部(25c)を上下方向の内向きに押圧して、弾性舌片(25a)を内向きに弾性撓曲させることにより、各爪片(25b)を、受け口(7a)の係止孔から内方に離脱させて、配線コネクタ(21)を受け口(7a)から抜き出すことができるようになっている。
【００３９】
配線コネクタ(21)の上下端部における左右の縁には、弾性係止片(25)を左右から挟むようにして、上下方向に延出する突縁(26)(26)が形成されており、両突縁(26)(26)の前部には、解除操作用突部(25c)を左右から挟むようにして、上下方向に延出し、かつ遊端部に互いに内方を向く突起(27)(27)が形成された突部(26a)(26a)が設けられている。なお、常時は、解除操作用突部(25c)は、突縁(26)(26)の突部(26a)(26a)より若干上下方向に突出している。
【００４０】
図４および図５に示すように、配線コネクタ用カバー(以下単にカバーという)(28)は、配線コネクタ(21)における配線接続部(21b)とそこから延出する複数の配線(24)の端末近傍部とを覆うものであって、互いに向き合わせて結合することにより、配線接続部(21b)が嵌合しうる嵌合部(29)と、複数の配線(24)を配線接続部(21b)からわずかに離れた部分で束ねて挿通させる結束挿通部(30)と、嵌合部(29)と結束挿通部(30)との間の外周部を覆う側面視横向き台形状の覆い部(31)とが形成されるようにした２個の分割カバー(32)(32)からなっている。
【００４１】
両分割カバー(32)(32)は、弾性を有する硬質合成樹脂材料からなる互いに全く同一構造、同一形状のものである。
すなわち、両分割カバー(32)(32)は、図示の例では上下方向に分離しうるものとしてあり、両分割カバー(32)(32)を互いに上下に向き合わせたときに対向する各分割カバー(32)の対向縁部における左右の縁片(32a)(32b)のうち、一方の縁片(32a)の前部と他方の縁片(32b)の後部とには、上下方向に延出するするとともに、遊端部外側面に爪(33a)(34a)を有する弾性係合爪(33)(34)を、またそれに対応する他方の縁片(32b)の前部と一方の縁片(32a)の後部とには、両分割カバー(32)(32)を互いに上下に向き合わせたときに相手方の弾性係合爪(33)(34)が係合するようにした係合孔(35)(36)をそれぞれ設けることにより、両分割カバー(32)(32)を互いに同一形状としうるようにしてある。
【００４２】
各分割カバー(32)の各縁片(32a)(32b)の内面には、その縁から各係合孔(35)(36)までに至る上下方向を向き、かつ対向する分割カバー(32)の弾性係合爪(34)(33)を係合孔(35)(36)に誘導する誘導溝(37)(38)が設けられている。
この誘導溝(37)(38)を設けたことにより、２個の分割カバー(32)(32)を互いに向き合わせて結合する際に、弾性係合爪(33)(34)が係合孔(35)(36)まで案内されて、係合孔(35)(36)に容易に係合することができ、組み付け作業性が向上する。
【００４３】
各分割カバー(32)における縁片(32a)の後部の端面と縁片(32b)の前部の端面とには、位置決め用の突起(39)(40)が設けられ、またそれらに対応する縁片(32b)の後部の端面と縁片(32a)の前部の端面とには、両分割カバー(32)(32)を互いに上下に向き合わせたときに、相手方の位置決め用の突起(39)(40)が嵌合するようにした位置決め用の凹部(41)(42)がそれぞれ設けられている。
【００４４】
各分割カバー(32)の内面における嵌合部(29)を形成する部分と覆い部(31)を形成する部分との境界部には、配線コネクタ(21)の基端面(この例では前端面)に摺接することにより、配線コネクタ(21)への各分割カバー(32)の装着を案内するようした、弾性係合爪(33)(34)の延出方向と同一方向を向く段差状のガイド面(43)が形成されている。
【００４５】
各分割カバー(32)における嵌合部(29)を形成する部分の上下方向の外端面の中央には、配線コネクタ(21)における弾性係止片(25)の解除操作用突部(25c)が外方に望むようにした方形の切り欠き(44)が設けられており、この切り欠き(44)を挟む左右の外側部(29a)(29a)の後端部には、ガイド面(43)と平行をなして上下方向の内向きに延出し、かつ配線コネクタ(21)における突起(27)(27)と係合することにより、配線コネクタ(21)の配線接続部(21b)が嵌合部(29)から離脱するのを阻止するようにした係合爪(45)(45)が設けられている。
各係合爪(45)の先端部には、配線コネクタ(21)の各突起(27)がガイド面(43)と係合爪(45)との間に進入するのを案内する案内傾斜面(45a)が設けられている。
係合爪(45)(45)と突起(27)(27)とにより、配線接続部(21b)を嵌合部(29)から抜け止めする抜け止め手段(46)が形成されている。
【００４６】
両突起(27)(27)に係合する係合爪(45)(45)が設けられた各分割カバー(32)の外側部(29a)(29a)により、弾性係止片(25)の解除操作用突部(25c)の両側面がほぼ覆われ、解除操作用突部(25c)は、各分割カバー(32)の外側部(29a)(29a)より上下方向にわずかに突出するか、またはほぼ等高となるようにしてあるので、不正に弾性係止片(25)を解除操作しようとする行為や、他物が上記解除操作用突部(25c)に当たって、不本意に配線コネクタ(21)が受け口(7a)から外れるといった誤作動や誤操作等を防止することができる。
【００４７】
２個の分割カバー(32)(32)を配線コネクタ(21)に装着するには、２個の分割カバー(32)(32)を、配線コネクタ(21)と配線(24)を上下から挟むようにして、互いに上下に向き合わせて、各分割カバー(32)のガイド面(43)を配線コネクタ(21)の基端面に摺接させつつ、互いに近づけ、配線コネクタ(21)の中央部で互いに合体させるだけでよい。
【００４８】
このとき、各弾性係合爪(33)(34)は、誘導溝(37)(38)に案内されて、対向する係合孔(35)(36)に円滑に係合するとともに、配線コネクタ(21)の各突起(27)が案内傾斜面(45a)に案内されて、外側部(29a)におけるガイド面(43)と係合爪(45)との間に相対的に進入し、配線コネクタ(21)の配線接続部(21b)が嵌合部(29)から離脱するのが阻止され、さらに、各位置決め用の突起(39)(40)が、対応する位置決め用の凹部(41)(42)に嵌合することにより、両分割カバー(32)(32)は、配線コネクタ(21)に簡単かつ確実に装着される。
【００４９】
また、多数の配線(24)は、２個の分割カバー(32)(32)が互いに上下から接近する途中で、それらの結束挿通部(30)(30)により、上下から押し集められ、両分割カバー(32)(32)が合体させられたとき、全配線(24)は結束挿通部(30)(30)により円柱状に束ねられる。
【００５０】
図４に示すように、２個の分割カバー(32)(32)が配線コネクタ(21)に装着された状態では、配線コネクタ(21)の配線接続部(21b)における各配線(24)の延出部分は、カバー(28)により完全に覆われ、配線コネクタ(21)の配線接続部(21b)と各配線(24)との間に違法操作体を挿入して不正行為が行われるのを未然に防止することができる。
【００５１】
図６および図７に示すように、配線コネクタ(22)は、配線コネクタ(21)と形状および構造を若干異にしている。なお、同一または類似する部材または部分については、同一の符号をもって図示するに止め、それらについての詳細な説明は省略する。
【００５２】
相違点について説明すると、電源装置(10)の上面に設けられた受け口(10a)に差し込み部(22a)を嵌合するようにしたこの配線コネクタ(22)は、左右方向に長い直方体状をなし、その上部の基端側の配線接続部(22b)から下部の遊端側の差し込み部(22a)にかけて、上下方向を向く前後５個ずつの収容孔(23)が左右４列として升目状に穿設されており、各収容孔(23)には、金属製の接触端子(図示略)が端末に接続された被覆導線よりなる配線(24)がそれぞれ配線接続部(22b)側から嵌合され、抜け止めされている。
【００５３】
この配線コネクタ(22)は、右方の側端のみに、弾性舌片(25a)と爪片(25b)と解除操作用突部(25c)とを備える弾性係止片(25)、突部(26a)を備える突縁(26)、および突起(27)が設けられているだけで、左方の側面には、これらの部材が設けられておらず、単に、前後方向を向く外向きの突条(47)が上端部に設けられているだけである。
【００５４】
図６および図７に示すように、配線コネクタ用カバー(以下単にカバーという)(48)は、左右２個の分割カバー(49)(50)からなるものの、装着しようとする配線コネクタ(22)に合わせて、上記のカバー(28)とは異なる構成を採用している。
【００５５】
すなわち、このカバー(48)は、配線コネクタ(22)における配線接続部(22b)とそこから延出する複数の配線(24)の端末近傍部とを覆うものであって、互いに向き合わせて結合することにより、配線接続部(22b)が嵌合しうる嵌合部(29)と、複数の配線(24)を配線接続部(22b)からわずかに離れた部分で束ねて挿通させる結束挿通部(30)と、嵌合部(29)と結束挿通部(30)との間の外周部を覆う覆い部(31)とが形成されるようにした２個の分割カバー(49)(50)からなっている点ではカバー(28)と共通しているが、２個の分割カバー(49)(50)は、同一形状ではなく、互いに異なった形状をしている。
【００５６】
右方の分割カバー(50)には、配線コネクタ(22)の右側部の形状に合わせて、分割カバー(32)と同様の方形の切り欠き(44)、および案内傾斜面(45a)を備える係合爪(45)(45)が設けられているが、左方の分割カバー(49)には、これらのものは設けられておらず、単に、左側部の内面の下端に、配線コネクタ(22)における突条(47)の下面に係合する前後方向を向く突条(51)が設けられているだけである。
【００５７】
右方の分割カバー(50)においては、係合爪(45)(45)と配線コネクタ(22)側の突起(27)とにより、配線接続部(22b)を嵌合部(29)から抜け止めする抜け止め手段(46)が形成されており、また左方の分割カバー(49)においては、突条(51)と配線コネクタ(22)側の突条(47)とにより、配線接続部(21b)を嵌合部(29)から抜け止めする抜け止め手段(46)が形成されている。
【００５８】
また、左方の分割カバー(49)における前後の縁片(49a)(49b)のやや下部と、右方の分割カバー(50)における前後の縁片(50a)(50b)の上部とには、左右方向に向かって延出する前後１対ずつの弾性係合爪(52)(52)(53)(53)が設けられ、それらに対応する右方の分割カバー(50)における前後の縁片(50a)(50b)のやや下部と、左方の分割カバー(49)における前後の縁片(49a)(49b)の上部とには、係合孔(54)(54)(55)(55)と誘導溝(56)(56)(57)(57)とが設けられている。
【００５９】
ガイド面(43)は、左右の分割カバー(49)(50)に共通して設けられている。
また、右方の分割カバー(50)における前後の縁片(50a)(50b)の下部端面には、左右１対の位置決め用の突起(58)(58)が、それに対応する左方の分割カバー(49)における前後の縁片(49a)(49b)の下部端面には、上記突起(58)(58)が嵌合しうる左右１対の位置決め用の凹部(59)(59)がそれぞれ設けられている。
【００６０】
第２の実施形態においても、２個の分割カバー(49)(50)を、配線コネクタ(22)と配線(24)を左右から挟むようにして、互いに左右に向き合わせて、各分割カバー(49)(50)のガイド面(43)を配線コネクタ(22)の上面である基端面に摺接させつつ、互いに近づけ、配線コネクタ(22)の中央部で互いに合体させるだけで、両分割カバー(49)(50)を、配線コネクタ(22)に簡単かつ確実に装着することができる。
【００６１】
このとき、各弾性係合爪(52)(53)が、誘導溝(56)(57)に案内されて、対向する係合孔(54)(55)に円滑に係合し、配線コネクタ(22)の突起(27)が案内傾斜面(45a)に案内されて、右方の分割カバー(50)における係合爪(45)に係合するとともに、配線コネクタ(22)の突条(47)が、左方の分割カバー(49)における突条(51)に係合することにより、配線コネクタ(22)の配線接続部(22b)が嵌合部(29)から離脱するのが阻止され、さらに、各位置決め用の突起(58)が、対応する位置決め用の凹部(59)に嵌合することにより、両分割カバー(49)(50)は互いに位置決めされる。
【００６２】
したがって、第２の実施形態においては、２個の分割カバー(49)(50)が互いに同一形状でないということを除いては、第１の実施形態とほぼ同様の作用及び効果を奏することができる。
【００６３】
なお、上記の例では、遊技機(１)における筐体(２)内に設けた主制御基板(７)と電源装置(10)とを接続するハーネス(20)における配線コネクタ(21)(22)にカバー(28)(48)を設けたが、本発明は、これに限らず、遊技盤(３)の裏面に装着した複数の電気機器同士、筐体(２)内に設けた複数の電気機器同士、遊技盤(３)の裏面に装着した電気機器と筐体(２)内に設けた電気機器、またはそれらの電気機器と遊技機(１)外の電気機器を接続するハーネスにおける配線コネクタ、またはそれらの電気機器同士を接続するハーネス同士を接続する配線コネクタに、上記と同様のカバーを設けて実施することもできる。
【産業上の利用可能性】
【００６４】
本発明は、上述したようなメダルを遊技媒体とするスロットマシンだけでなく、パチンコ玉を遊技媒体とするパチンコ機、またはパチンコ玉を遊技媒体としたスロットマシン等にも適用することができ、その場合にも同様の効果を奏することができる。
【図面の簡単な説明】
【００６５】
【図１】本発明を適用した遊技機の正面図である。
【図２】同じく、遊技盤を開いた状態の遊技機の斜視図である。
【図３】同じく、遊技盤を外したときの筐体内の正面図である。
【図４】同じく、ハーネスの一方の端部を前斜め上方より見た拡大斜視図である。
【図５】同じく、拡大分解斜視図である。
【図６】同じく、ハーネスの他方の端部を前斜め上方より見た拡大斜視図である。
【図７】同じく、拡大分解斜視図である。
【図８】従来の遊技機におけるカバーを装着したハーネスの一例を示す斜視図である。
【符号の説明】
【００６６】
(１)遊技機
(２)筐体
(2a)軸
(３)遊技盤
(４)ロック装置
(4a)係止爪
(５)表示装置
(5a)回胴体
(６)ホッパーユニット
(７)主制御基板
(7a)受け口
(８)副制御基板
(９)回胴体制御基板
(10)電源装置
(10a)受け口
(11)識別情報表示窓
(12)液晶表示器
(13)液晶表示窓
(14)遊技情報表示領域部
(14a)ベット数表示窓
(14b)メダル払出数表示窓
(14c)ボーナスゲーム残数表示窓
(14d)クレジット数表示窓
(14e)遊技進行表示窓
(15)メダル投入部
(16)ベットスイッチボタン
(17)スタートスイッチレバー
(18)ストップスイッチボタン
(19)実装基板
(20)ハーネス
(20a)チューブ
(21)(22)配線コネクタ
(21a)(22a)差し込み部  
(21b)(22b)配線接続部
(23)収容孔
(24)配線
(25)弾性係止片
(25a)弾性舌片
(25b)爪片
(25c)解除操作用突部
(26)突縁
(26a)突部
(27)突起
(28)配線コネクタ用カバー
(29)嵌合部
(29a)外側部
(30)結束挿通部
(31)覆い部
(32)分割カバー
(32a)(32b)縁片
(33)(34)弾性係合爪
(35)(36)係合孔
(37)(38)誘導溝
(39)(40)突起
(41)(42)凹部
(43)ガイド面
(44)切り欠き
(45)係合爪
(45a)案内傾斜面
(46)抜け止め手段
(47)突条
(48)配線コネクタ用カバー
(49)(50)分割カバー
(49a)(49b)(50a)(50b)縁片
(51)突条
(52)(53)弾性係合爪
(54)(55)係合孔
(56)(57)誘導溝
(58)突起
(59)凹部
【図１】
2005342406.tif 000003
【図２】
2005342406.tif 000004
【図３】
2005342406.tif 000005
【図４】
2005342406.tif 000006
【図５】
2005342406.tif 000007
【図６】
2005342406.tif 000008
【図７】
2005342406.tif 000009
【図８】
2005342406.tif 000010